(57)【要約】      （修正有）【課題】太さの異なるペンライトを効率良く固定することができるヘルメット用のペンライトホルダを提供する。【解決手段】本発明のペンライトホルダは、ホルダ本体１と締付アーム２との挟持によりペンライトＰを保持するものである。ホルダ本体１は、ラチェット保持機構を有する上部ホルダ本体と締付アーム２の下端を回動自在に支持する下部ホルダ本体と、ヘルメットＨに係止可能な係止部１６を有する。締付アーム２は、該ラチェット保持機構に係合する複数の歯体を有する。該ラチェット保持機構と締付アーム２の歯体との係合により、ペンライトＰの外径に応じて保持可能とし、ワンタッチで太さの異なるペンライトＰを効率良く固定することができる。【選択図】図１
2020133056.tif 000002
【特許請求の範囲】
【請求項１】
ホルダ本体と締付アームとの挟持によりペンライトを保持するものであって、
前記ホルダ本体は、ラチェット保持機構を有する上部ホルダ本体と前記締付アームの下端を回動自在に支持する下部ホルダ本体と、ヘルメットに係止可能な係止部を有し、
前記締付アームは、前記ラチェット保持機構に係合する複数の歯体を有し、
前記ラチェット保持機構と前記締付アームの歯体との係合により、ペンライトの外径に応じて保持可能とすることを特徴とするヘルメット用のペンライトホルダ。
【請求項２】
上部ホルダ本体に形成されるラチェット保持機構は、締付アームの歯体に噛み合い係合する爪部と、該爪部と前記歯体との係合状態を保持する弾性部材と、前記係合状態を解除する操作部とを有し、
前記締付アームの下端は下部ホルダ本体と回動自在に軸支され、該下端から連続して所定の操作面を有するアーム本体と、該アーム本体からホルダ本体側に折曲して歯体が形成されるアーム歯体部との略Ｌ字状であることを特徴とする請求項１に記載のヘルメット用ペンライトホルダ。
【請求項３】
ホルダ本体の締付アーム側の端縁と、締付アームのホルダ本体側の端縁と、により、ペンライトの保持領域とするものであって、
前記ホルダ本体の締付アーム側端縁は上部ホルダ本体の基端から上端にかけて締付アーム側に湾曲し、下部ホルダ本体の締付アーム側端縁は基端から下端にかけて連続して前記締付アーム側に傾斜し、
前記保持領域において、前記ホルダ本体は前記締付アーム側に突出する弾性体を配置し、前記締付アームのアーム本体に弾性を有する円弧状の当接体を配置することを特徴とする請求項２に記載のヘルメット用のペンライトホルダ。
【請求項４】
連結体は、ホルダ本体の係止部とヘルメットとを連結する嵌合部と挟持部とからなるものであって、
前記嵌合部は、前記係止部に形成される垂下片をスリットから挿入して嵌合する開口部分を有し、
前記挟持部は、前記嵌合部の内側壁と前記ヘルメットの下周縁部を挟持するものであって、ヘルメットの縁を収容できる収容部分を有することを特徴とする請求項１、２または３のいずれかに記載のヘルメット用のペンライトホルダ。
【発明の詳細な説明】
【技術分野】
【０００１】
本発明は、ヘルメットにペンライトを装着するホルダに関する発明である。
【背景技術】
【０００２】
ペンライトを把持せずに持ち歩き使用する方法として、ヘルメットの縁に固定して使用することができるヘルメット用のペンライトホルダは従来から提案されている。特許文献１は、ヘルメットの縁に取り付けるための取付用ベース部材と、ペンライトを固定するためのペンライトホルダ部材と、ペンライトの外形寸法に合わせて長さ調整をしながら固定するゴムバンド部材とからなるペンライトホルダを開示している。このペンライトホルダは、ペンライトホルダ部材にあるゴムバンド長さ調整用引っ掛け爪をゴムバンド部材にあるゴムバンド長さ調整用引っ掛け爪挿入用孔に組み付けて、ペンライトに合わせて長さ調整と締め付けを可能にした構成としている。
【先行技術文献】
【特許文献】
【０００３】
【特許文献１】実用新案登録第３１６２０１０号公報
【発明の概要】
【発明が解決しようとする課題】
【０００４】
特許文献１に記載のペンライトホルダは、ゴムバンドで保持するため、その柔軟性により大径のペンライトを固定することが難しく、またペンライトを片手で取り付けることが難しいものであった。
【０００５】
そこで、太さの異なるペンライトを効率良く固定することができるヘルメット用のペンライトホルダが望まれていた。
【課題を解決するための手段】
【０００６】
本発明のヘルメット用のペンライトホルダは、上記課題に鑑み、ホルダ本体と締付アームとの挟持によりペンライトを保持するものであって、前記ホルダ本体は、ラチェット保持機構を有する上部ホルダ本体と前記締付アームの下端を回動自在に支持する下部ホルダ本体と、ヘルメットに係止可能な係止部を有し、前記締付アームは、前記ラチェット保持機構に係合する複数の歯体を有し、前記ラチェット保持機構と前記締付アームの歯体との係合により、ペンライトの外径に応じて保持可能とすることを特徴とする。
【０００７】
また、上部ホルダ本体に形成されるラチェット保持機構は、締付アームの歯体に噛み合い係合する爪部と、該爪部と前記歯体との係合状態を保持する弾性部材と、前記係合状態を解除する操作部とを有し、前記締付アームの下端は下部ホルダ本体と回動自在に軸支され、該下端から連続して所定の操作面を有するアーム本体と、該アーム本体からホルダ本体側に折曲して歯体が形成されるアーム歯体部との略L字状であることが好ましい。
【０００８】
また、ホルダ本体の締付アーム側の端縁と、締付アームのホルダ本体側の端縁と、により、ペンライトの保持領域とするものであって、前記ホルダ本体の締付アーム側端縁は上部ホルダ本体の基端から上端にかけて締付アーム側に湾曲し、下部ホルダ本体の締付アーム側端縁は基端から下端にかけて連続して前記締付アーム側に傾斜し、前記保持領域において、前記ホルダ本体は前記締付アーム側に突出する弾性体を配置し、前記締付アームのアーム本体に弾性を有する円弧状の当接体を配置することが好ましい。
【０００９】
また、連結体は、ホルダ本体の係止部とヘルメットとを連結する嵌合部と挟持部とからなるものであって、前記嵌合部は、前記係止部に形成される垂下片をスリットから挿入して嵌合する開口部分を有し、前記挟持部は、前記嵌合部の内側壁と前記ヘルメットの下周縁部を挟持するものであって、ヘルメットの縁を収容できる収容部分を有することが好ましい。
【発明の効果】
【００１０】
請求項１記載の発明により、ラチェット保持機構を有することから、締付アームをホルダ本体に向けて回動するだけでペンライトを効率良く保持することが可能になる。
【００１１】
請求項２記載の発明により、締付アームに操作面を有することで、使用者がペンライトを指で持って、掌で操作面を押すことにより片手で操作することができる。しかも、上部ホルダ本体にラチェット保持機構と、保持状態を解除する操作部を有することで、保持とともに解除も片手で行うことができ、簡易な操作で行うことが可能になる。
【００１２】
請求項３記載の発明により、締付アームを締め付ける際にペンライトの周面が弾性体や当接体に接触することにより、ペンライトの径に応じて保持領域の適切な当接位置に誘導・位置決めすることができる。
【００１３】
請求項４記載の発明により、連結体によりホルダ本体を分離させた状態でヘルメットからペンライトホルダを着脱することができて、ワンタッチでヘルメットに着脱することができる。
【図面の簡単な説明】
【００１４】
【図１】本発明の実施形態に係るヘルメット用のペンライトホルダの使用状態の斜視図である。
【図２】ホルダ本体とアーム締付部とからなるペンライトホルダの斜視図である。
【図３】図２のペンライトホルダの正面図である。
【図４】ペンライトホルダに連結体を取り付けた状態の側面図である。
【図５】図４のＡ−Ａ線断面図であって、径の異なるペンライトを挿入した状態を示す。
【図６】図２のペンライトホルダを後方から示した斜視図である。
【図７】連結体を示すものであって、（ａ）は正面図、（ｂ）は側面図である。
【図８】連結体をヘルメットの下周縁部に取り付ける状態を示すものであって、（ａ）は連結体をヘルメットに当接した状態の正面図であり、（ｂ）は挟持部によりヘルメットの下周縁部を挟持した状態の正面図であって、ヘルメットのみ断面状態として示す。
【図９】連結体の第二の実施形態を示すものであって、（ａ）は右側面図、（ｂ）は左側面図、（ｃ）は正面図である。
【発明を実施するための形態】
【００１５】
本発明の実施形態について、図面に基づいて詳細に説明する。本実施例に関し、図１のペンライトＰのレンズＬ側（ヘルメットの庇側）を前方とするペンライトＰの軸方向を前後方向として説明する。
【００１６】
本実施形態のホルダ本体１は、図１に示すように、ヘルメットＨの下周縁部Ｈ１で、ヘルメットＨの側方に円筒形状のペンライトＰを着脱自在に取り付けて固定するためのものである。ペンライトホルダは、ホルダ本体１と、締付アーム２によりペンライトＰを固定するものであり、ホルダ本体１に回動自在に取り付けられる係止部１６が連結体３を介してヘルメットＨに係止される。
【００１７】
本実施形態において想定するペンライトＰは例えば直径１０．５〜３０ｍｍのものが挙げられ、これら径の異なるペンライトをラチェット機構により、適切に保持することができ、使用者がワンタッチで着脱可能にするものである。
【００１８】
本実施形態におけるホルダ本体１及び締付アーム２の具体的形態について説明する。図２に示すように、ホルダ本体１は、上方の位置にある上部ホルダ本体１ａと、下方の位置にある下部ホルダ本体１ｂとからなる。ホルダ本体１のうち上部ホルダ本体１ａは、円筒状の弾性体７の中心点から上方部分を指すものである。ホルダ本体１のうち下部ホルダ本体１ｂは同じく弾性体７の中心点から下方部分を指す。ホルダ本体１は、正面１ｃと裏面は同一形状に表れ、締付アーム２側の側面１ｄと一体的に樹脂成型されるものであり、締付アーム２側と反対側の側面は係止部１６を回動自在に支持する部分を除いて開放されている（図５参照）。
【００１９】
図２、図３に示すように、上部ホルダ本体１ａは、上側が開放されて締付アーム２を挿入する挿入孔８が形成され、その上方にラチェット保持機構となる爪部材９が配置される。図３に示す正面視において、上部ホルダ本体１ａは基端となる弾性体７が配置される部分から上端にかけて締付アーム２側に湾曲して突出する。下部ホルダ本体１ｂは、下端で締付アーム２の下端と回動可能に軸支するものであり、下部ホルダ本体１ｂも基端となる弾性体７が配置される部分から下端にかけて締付アーム２側に傾斜して突出している。本実施形態において、上部ホルダ本体１ａの上端と下部ホルダ本体１ｂの下端との、締付アーム２側への突出長さは同程度の長さとしている。このホルダ本体１の正面１ｃと締付アーム２側の側面１ｄとの端縁１ｅがペンライトＰを保持するためのホルダ本体1側の保持領域の外縁となる。
【００２０】
図６に示すように、ホルダ本体１の締付アーム２と反対側の側面には、ホルダ本体１をヘルメットＨに係止する係止部１６が回動可能に配置される。本実施形態においては、ヘルメットＨに連結体３を取り付け、この連結体３を介してヘルメットＨにホルダ本体１を係止するものであるが（図１参照）、他の実施形態としてホルダ本体１の係止部１６により直接ヘルメットＨに係止するものであってもよい。係止部１６と連結体３を用いた係止構造の詳細については後述する。
【００２１】
次に締付アーム２について説明する。締付アーム２は、図２、３に示すように、外方側の面に所定の操作面２ｃを有するアーム本体２ａと、アーム本体２ａの上端から連続し、ホルダ本体１側に折曲して延長するアーム歯体部２ｂとからなる上下反転した略Ｌ字状の形状である。アーム本体２ａの下端は、上述のとおり下部ホルダ本体１ｂの下端と軸支され、締付アーム２がホルダ本体１に接近、離反するように回動自在に支持される。アーム本体２ａは正面視において下部ホルダ本体１ｂとの軸支位置から略直線状に起立し、その上端から連続して略直角に折曲してアーム歯体部２ｂが形成される。アーム本体２ａとアーム歯体部２ｂはいずれも図３に示す正面視において若干丸みを帯びた直線状に形成される。この締付アーム２の正面とホルダ本体１側の側面との端縁２ｅがペンライトＰを保持するための締付アーム２側の保持領域の外縁となる。
【００２２】
図４に示すように、アーム本体２ａの外方側の側面となる操作面２ｃは、アーム本体２ａの上端及び下端から若干前後方向に幅を広げた所定範囲の面積を有するように形成している。この操作面２ｃは、幅を所定範囲に広げているが、ホルダ本体１の幅よりは狭くなるように形成している。この操作面２ｃにより、使用者がラチェットを保持する場合に掌で押し当てやすくしている。
【００２３】
図２、図３、図４に示すように、締付アーム２のアーム歯体部２ｂの上面側には、アーム歯体部２ｂの上面から略垂直に立ち上がりホルダ本体１側に傾斜する歯体１１が連続して複数形成され、この複数の歯体１１、１１を、アーム本体２の回動によりホルダ本体１の上部ホルダ本体１ａに形成される挿入孔８から挿入し、ラチェット保持機構（爪部材９）で保持している。
【００２４】
次に、図５に示すように、ホルダ本体１と締付アーム２とを係合するラチェット保持機構について説明する。ラチェット保持機構は爪部材９と板バネ１０からなる弾性部材からなり、爪部材９は上方が開放されたホルダ本体１の上部に配置され、ホルダ本体１の天井部分のように配置される（図２参照）。このラチェット保持機構により締付アーム２のアーム歯体部２ｂを上部ホルダ本体１ａで保持して、ペンライトＰをその外径に応じて挟持して保持している。
【００２５】
ラチェット保持機構は、上部ホルダ本体１ａにおいて、挿入孔８の上方に歯体１１に係合する爪部９ａを有する爪部材９と、この爪部材９を下方に押圧する板バネ１０とからなる。爪部材９は、その左右方向中央付近の下面から爪部９ａが下方に向けて突出し、アーム歯体部２ｂの各々の歯体１１、１１と係合して保持している。アーム歯体部２ｂの下側に位置し、上部ホルダ本体１ａの挿入孔８の下縁部分となるガイド部１ｆと挟持させるようにしてもよい。
【００２６】
爪部材９の左右方向左側（締付アーム２側）の軸１２ａにより回動可能にホルダ本体１に軸支され、爪部材９の左右方向右側（締付アーム２側と反対側）に向けて上方が延長される操作部９ｂを有する。この軸１２ａを支軸に爪部材９の中央から右側が上下に回動するところ、板バネ１０により爪部９ａと歯体１１が係合する状態・位置に保持されている。この板バネ１０に抗って操作部９ｂを上方に持ち上げると、爪部９ａと歯体１１との係合が解除される。これにより、ラチェット保持機構により、保持及び保持の解除が可能になる。
【００２７】
次に、ホルダ本体１と締付アーム２とからなる保持領域について説明する。図５に示すように、ホルダ本体１の正面１ｃと側面１ｄとの端縁１ｅ（図２参照）は、上部ホルダ本体１ａの基端となる弾性体７の中心点から上方にかけて湾曲して締付アーム２側に突出し、下部ホルダ本体１ｂの基端部分から下方にかけて傾斜して締付アーム２側に突出しており、これがホルダ本体１側の保持領域となる。
【００２８】
締付アーム２の保持領域は、ホルダ本体１と同じく、締付アーム２の正面と側面との端縁２ｅとなる。この端縁２ｅはアーム本体２ａの下端から緩やかな湾曲を描いて直線状に立ち上がり、アーム本体２ａとアーム歯体部２ｂとの折曲点から、アーム歯体部２ｂの折曲方向に向けて曲り、同じく緩やかな湾曲を描いて直線状になる。このホルダ本体１の端縁１ｅと締付アーム２の端縁２ｅとにより形成される領域が、保持領域となる。
【００２９】
この保持領域内にペンライトＰを適切に保持するため、ホルダ本体１の側面１ｄから突出する弾性体７が配置される。この弾性体７は上部ホルダ本体１ａと下部ホルダ本体１ｂとの間に中心を有する円筒形状のスポンジ体である。使用者はペンライトＰの外径を問わず、この弾性体７にペンライトＰの側面を接触させた状態で、締付アーム２を締め付けて保持する。この弾性体７は少なくとも後述する当接体１５の弾性よりは柔らかな素材を用いることが好ましい。
【００３０】
また、締付アーム２のホルダ本体１側の側面には、湾曲した板状体となる当接体１５が配置され、アーム本体２ａと一体的に形成している。この当接体１５は、アーム本体２ａとアーム歯体部２ｂとの折曲位置付近からアーム本体２ａの中間付近にまで位置し、比較的肉薄に形成され、当接体１５の上端付近や下端付近で弾性がつくようにしている。当接体１５は上下端部をホルダ本体１側に突出した円弧状としている。当接体１５は、図５に二点鎖線で示すように、小径のペンライトＰ１や大径のペンライトＰ２でも当接体１５の側面に当接可能な状態にしている。
【００３１】
また、当接体１５の上下端部にはそれぞれ円柱状の凸部１５ａ、１５ａを有し、凸部１５ａ、１５ａは締付アーム２を締め付ける際にペンライトＰの周面に接触することで、このペンライトＰを当接体１５の適切な当接位置となる中央位置にに誘導・位置決めすることができる。
【００３２】
つまり、比較的小径のペンライトＰ１の場合、弾性体７と当接体１５の湾曲部分の上下方向中央部分で当接され、上述したラチェット保持機構により挟持されて保持される。また、比較的大径のペンライトＰ２の場合であっても、弾性体７と弾性を有する当接体１５の湾曲部分及び上下の凸部１５ａ、１５ａにより保持が可能である。しかも、ペンライトの径がＰ２よりも大きい場合であっても、凸部１５ａ、１５ａが弾性により外方に曲がるようにして保持することも可能となる。これにより、ペンライトの径に応じて保持し、しかも弾性体７の位置で保持するように誘導・位置決めすることが可能になる。
【００３３】
次に、ホルダ本体１に配置される係止部１６と、この係止部１６と連結体３によるヘルメットＨとの係止構造について説明する。図５、図６に示すように、ホルダ本体１の締付アーム２側と反対側の側面は開放されており、この側面に係止部１６が回動可能に係合して配置されている。弾性体７を取り付ける台状の部材に周縁を一部切り欠いた円形形状の回転被係合部１７が突出し、この回転被係合部１７に係止部１６の開口係合部分１６ａが係合することで、係止状態でホルダ本体１が回転被係合部１７の周縁方向に回転する構成としている。図示しないが、回転被係合部１７には突起が複数形成され、開口係合部分１６ａには当該突起と係合する複数の溝が形成され、回転状態（回転角度）を保持することができる。この構成により、弾性体７の位置でペンライトが保持され、そのペンライトを回転・保持し、使用状態ではペンライトの上下方向の向きを調整、保持することができる。
【００３４】
係止部１６は、開口係合部分１６ａからヘルメットＨ側に連続して突出した突出部分１６ｂがあり、この突出部分１６ｂから下方に垂下する垂下片１６ｃが連続して形成される。突出部分１６ｂは側面視においてＶ字状に形成され、垂下片１６ｃの上部の左右両側には抜け止めのための凸部が形成される。
【００３５】
次に、ヘルメットＨと係止部１６とを連結する連結体３について、図１、図５、図７（ａ）、（ｂ）を示して説明する。連結体３の上側部位は、係止部１６の突出部分１６ｂと垂下片１６ｃを着脱自在に嵌合する嵌合部３ａと、下側部位となるヘルメットＨのＬ字状の下周縁部Ｈ１を着脱自在に挟持する挟持部３ｂとからなる。嵌合部３ａと挟持部３ｂとは、図７（ａ）の図面上左側位置の軸３ｃにより回動可能に軸支される。
【００３６】
嵌合部３ａは上下に比較的長く形成され、内部に垂下片１６ｃを嵌め入れる開放部分２０ａと、開放部分２０ａに連通して外方の側面を開口し、突出部分１６ｂを挿し入れるためのＶ字状のスリット２０ｂとを有している。スリット２０ｂから開放部分２０ａに垂下片１６ｃを挿入すると、係止部１６と連結体３とが嵌合して保持され、上述した凸部が抜け止め、ガタツキ防止となる。
【００３７】
挟持部３ｂは、図７（ａ）に示す正面視において、外壁２１ａと内壁２１ｂと底面部分２１ｃを有する略Ｕ字状の形状を有する。挟持部３ｂの外壁２１ａは上端で嵌合部３ａの突出片２０ｃの先端と回動可能に軸支される。内壁２１ｂは、外壁２１ａよりも上方に突出し、前記軸支位置よりも上方からさらに内方側に折曲して延長される。この外壁２１ａと内壁２１ｂとの間に所定の収容部分２１ｄを有し、収容部分２１ｄの上側には嵌合部３ａが位置するようにしている。嵌合部３ａの開口部分２０ａを形成する内側壁２０ｄ（突出片２０ｃと反対側の壁）は、その下端からさらに収容部分２１ｄを仕切るように底面部分２１ｃ付近まで延長され、下端が外壁２１ａ方向に折曲するカエシが形成されている。
【００３８】
この連結体３によるヘルメットＨへの連結状態について図８（ａ）、（ｂ）を示して説明する。図８（ａ）に示すように、連結体３の嵌合部３ａと挟持部３ｂとを回動させる。このとき、嵌合部３ａの内側壁２０ｄの下方部分と挟持部３ｂの内壁２１ｂとが接触し得るが、連結体３全体が弾性を有する樹脂で形成されているため、両者の接触状態に抗って、回動が可能となる。この状態から、ヘルメットＨの下周縁部Ｈ１を嵌合部３ａの内側壁２０ｄに沿わせる。さらに図８（ｂ）に示すように、嵌合部３ａと挟持部３ｂとを回動して、挟持部３ｂの内壁２１ｂがヘルメットＨの下周縁部Ｈ１のさらに内側に位置するようにして、ヘルメットＨを挟持して連結する。
【００３９】
連結体３の第２の実施形態について、図９（ａ）、（ｂ）、（ｃ）を示して説明する。第２の実施形態は第１の実施形態を簡易にしたものであり、嵌合部３ａは垂下片１６ｃを嵌め入れる開放部分２０ａと、開放部分２０ａに連通して側面を開口し、突出部分１６ｂを挿し入れるためのＶ字状のスリット２０ｂとを有している。第１の実施形態と異なり、挟持部３ｂが嵌合部３ａの下部から湾曲して立ち上がる内壁２１ｂを有し、内壁２１ｂと嵌合部３ａの内側壁２０ｄとによりヘルメットＨの下周縁部Ｈ１を挟持することができる。なお、図９においてはヘルメットＨ及びその下周縁部Ｈ１を図示していない。
【００４０】
挟持部３ｂは、嵌合部３ａの下部から湾曲することで、ヘルメットＨの下周縁部Ｈ１を収容できる収容部分２１ｄが形成される。この収容部分２１ｄの上部に嵌合部３ａの内側壁２０ｄから内方に突出するカエシが形成され、ヘルメットの抜けを防止している。挟持部３ｂは湾曲して収容部分２１ｄを形成し、そのまま連続して立ち上がる外壁２１ａを形成するが、これは内方に凸となるように緩やかに湾曲し、その上端をさらに内方に折曲する。
【００４１】
第１及び第２の実施形態の連結部３によると、強固にヘルメットＨの下周縁部Ｈ１を挟持することができる。また、収容部分２１ｄが形成されていることにより、ヘルメットＨの下周縁部Ｈ１の縁の形態を問わず、挟持することができる。また、連結部３はゴーグルなどの帯バンドを保持するヘルメット用バンド保持具を兼ねており、嵌合部３ａを保持スロットとして、ホルダ本体１に変えて帯バンドを開放部分２０ａに挿し入れて保持することができる。
【符号の説明】
【００４２】
１…ホルダ本体、１ａ…上部ホルダ本体、１ｂ…下部ホルダ本体、１ｅ…端縁（保持領域）、２…締付アーム、２ａ…アーム本体、２ｂ…アーム歯体部、２ｃ…操作面、２ｅ…端縁（保持領域）、３…連結体、３ａ…嵌合部、３ｂ…挟持部、７…弾性部材、９…爪部材（ラチェット保持機構）、９ａ…爪部、９b…操作部、１１…歯体、１５…当接体、１６…係止部、１６ｃ…垂下片、２０ａ…開口部分、２０ｂ…スリット、２０ｄ…内側壁、２１ｄ…収容部分、Ｐ…ペンライト、Ｈ…ヘルメット、Ｈ１…下周縁部。
【図１】
2020133056.tif 000003
【図２】
2020133056.tif 000004
【図３】
2020133056.tif 000005
【図４】
2020133056.tif 000006
【図５】
2020133056.tif 000007
【図６】
2020133056.tif 000008
【図７】
2020133056.tif 000009
【図８】
2020133056.tif 000010
【図９】
2020133056.tif 000011